(57)【要約】【課題】簡易な構成によって感光体ドラムを効率的に加熱し、像流れの発生を抑制する。【解決手段】  本発明に係る画像形成装置は、回転軸Ｘの周りを回転する感光体ドラム８と、感光体ドラム８の内部に配置され、感光体ドラム８を加熱するヒーター３４と、を備え、感光体ドラム８は、円筒状の基材層２１と、基材層２１の外周面に設けられる感光層２２と、基材層２１の内周面から突出している螺旋状のフィン２３と、を備え、ヒーター３４は、フィン２３の内周側にフィン２３と間隔を介して設けられていることを特徴とする。【選択図】図２
2019078836.tif 000002
【特許請求の範囲】
【請求項１】
回転軸の周りを回転する感光体ドラムと、
前記感光体ドラムの内部に配置され、前記感光体ドラムを加熱するヒーターと、を備え、
前記感光体ドラムは、
円筒状の基材層と、
前記基材層の外周面に設けられる感光層と、
前記基材層の内周面から突出している螺旋状のフィンと、を備え、
前記ヒーターは、前記フィンの内周側に前記フィンと間隔を介して設けられていることを特徴とする画像形成装置。
【請求項２】
前記フィンは、前記感光体ドラムの回転軸方向一端側から回転軸方向他端側まで連続的に設けられ、
前記フィンの各巻線部は、すべて同じ向きに形成されていることを特徴とする請求項１に記載の画像形成装置。
【請求項３】
前記フィンは、
前記感光体ドラムの回転軸方向中央側から回転軸方向一端側まで設けられる第１螺旋部と、
前記感光体ドラムの回転軸方向中央側から回転軸方向他端側まで設けられる第２螺旋部と、を備え、
前記第２螺旋部の各巻線部は、前記第１螺旋部の各巻線部とは逆向きに形成されていることを特徴とする請求項１に記載の画像形成装置。
【請求項４】
前記感光体ドラムは、前記第１螺旋部と前記第２螺旋部の間に設けられる円環状の仕切り板を更に備え、
前記ヒーターは、前記仕切り板を貫通していることを特徴とする請求項３に記載の画像形成装置。
【請求項５】
機内又は機外の湿度を検知する湿度センサーを更に備え、
電源投入時において前記湿度センサーが検知する湿度が所定の閾値以上である場合に、前記感光体ドラムが回転すると共に前記ヒーターがＯＮすることを特徴とする請求項１〜４のいずれか１項に記載の画像形成装置。
【請求項６】
前記感光体ドラムの表面に形成された静電潜像を現像する現像装置を更に備え、
前記感光体ドラムが回転すると共に前記ヒーターがＯＮする時に、前記現像装置が前記感光体ドラムの表面にトナーを供給することを特徴とする請求項５に記載の画像形成装置。
【請求項７】
前記感光体ドラムの回転軸方向の端部に装着されるドラムフランジと、
前記ドラムフランジを貫通するドラム軸と、
前記ドラム軸に片持ち状態で支持される保持部材と、を更に備え、
前記ヒーターは、前記保持部材に保持されていることを特徴とする請求項１〜６のいずれか１項に記載の画像形成装置。
【請求項８】
前記感光層は、アモルファスシリコンによって構成されていることを特徴とする請求項１〜７のいずれか１項に記載の画像形成装置。
【発明の詳細な説明】
【技術分野】
【０００１】
本発明は、電子写真方式の画像形成装置に関する。
【背景技術】
【０００２】
従来、電子写真方式の画像形成装置は、感光体ドラムの表面に静電潜像を形成し、この静電潜像を現像することで、画像を形成している。
【０００３】
このような画像形成装置では、高湿環境において感光体ドラムの表面に付着した放電生成物が水分を吸着することにより、感光体ドラムの表面の電荷が流れることがある。このように感光体ドラムの表面の電荷が流れると、静電潜像の境界が不明瞭になって、像流れと呼ばれる不具合が発生する。
【０００４】
このような像流れの発生を抑制するために、ヒーターによって感光体ドラムを加熱し、感光体ドラムの表面の水分を蒸発させる構成がある。このような構成を採用する場合、感光体ドラムを集中的に加熱するためには、感光体ドラムの内部にヒーターを配置するのが好ましい。
【０００５】
例えば、特許文献１には、感光体ドラムの内部にドラムヒータを丸めて挿入する構成が開示されている。また、特許文献２には、感光体ドラムの内部にヒータとファンを配置する構成が開示されている。
【先行技術文献】
【特許文献】
【０００６】
【特許文献１】特開２００２−４０８７６号公報
【特許文献２】特開平５−１５８３８８号公報
【発明の概要】
【発明が解決しようとする課題】
【０００７】
しかしながら、感光体ドラムの内部にドラムヒータを丸めて挿入する構成を採用する場合、摺動する電極によってドラムヒータの電源を確保する必要があり、電極の接触不良が発生したり、電極の摩耗により頻繁に電極の交換が必要になったりする恐れがある。また、上記のように摺動する電極を用いることで、感光体ドラムを加熱するための機構が複雑化する恐れがある。
【０００８】
また、感光体ドラムの内部にヒータとファンを配置する構成を採用するためには、感光体ドラムの内部に大きなスペースが必要となる。そのため、感光体ドラムの直径が小さい場合（例えば、感光体ドラムの直径が３０ｍｍ程度の場合）には、当該構成を採用すること自体が困難である。また、感光体ドラムの内部にファンを設置することで、感光体ドラムを加熱するための機構が複雑化する恐れがある。
【０００９】
そこで、本発明は、簡易な構成によって感光体ドラムを効率的に加熱し、像流れの発生を抑制することを目的とする。
【課題を解決するための手段】
【００１０】
本発明に係る画像形成装置は、回転軸の周りを回転する感光体ドラムと、前記感光体ドラムの内部に配置され、前記感光体ドラムを加熱するヒーターと、を備え、前記感光体ドラムは、円筒状の基材層と、前記基材層の外周面に設けられる感光層と、前記基材層の内周面から突出している螺旋状のフィンと、を備え、前記ヒーターは、前記フィンの内周側に前記フィンと間隔を介して設けられていることを特徴とする。
【００１１】
前記フィンは、前記感光体ドラムの回転軸方向一端側から回転軸方向他端側まで連続的に設けられ、前記フィンの各巻線部は、すべて同じ向きに形成されていても良い。
【００１２】
前記フィンは、前記感光体ドラムの回転軸方向中央側から回転軸方向一端側まで設けられる第１螺旋部と、前記感光体ドラムの回転軸方向中央側から回転軸方向他端側まで設けられる第２螺旋部と、を備え、前記第２螺旋部の各巻線部は、前記第１螺旋部の各巻線部とは逆向きに形成されていても良い。
【００１３】
前記感光体ドラムは、前記第１螺旋部と前記第２螺旋部の間に設けられる円環状の仕切り板を更に備え、前記ヒーターは、前記仕切り板を貫通していても良い。
【００１４】
前記画像形成装置は、機内又は機外の湿度を検知する湿度センサーを更に備え、電源投入時において前記湿度センサーが検知する湿度が所定の閾値以上である場合に、前記感光体ドラムが回転すると共に前記ヒーターがＯＮしても良い。
【００１５】
前記画像形成装置は、前記感光体ドラムの表面に形成された静電潜像を現像する現像装置を更に備え、前記感光体ドラムが回転すると共に前記ヒーターがＯＮする時に、前記現像装置が前記感光体ドラムの表面にトナーを供給しても良い。
【００１６】
前記画像形成装置は、前記感光体ドラムの回転軸方向の端部に装着されるドラムフランジと、前記ドラムフランジを貫通するドラム軸と、前記ドラム軸に片持ち状態で支持される保持部材と、を更に備え、前記ヒーターは、前記保持部材に保持されていても良い。
【００１７】
前記感光層は、アモルファスシリコンによって構成されていても良い。
【発明の効果】
【００１８】
本発明によれば、簡易な構成によって感光体ドラムを効率的に加熱し、像流れの発生を抑制することが可能となる。
【図面の簡単な説明】
【００１９】
【図１】本発明の第１の実施形態に係る画像形成装置の概略を示す模式図である。
【図２】本発明の第１の実施形態に係る感光体ドラム及びその周辺部を示す断面図である。
【図３】図２のＡ−Ａ断面図である。
【図４】本発明の第１の実施形態に係る画像形成装置の制御システムを示すブロック図である。
【図５】本発明の第１の実施形態に係る画像形成装置において、エージングモードの実行時における感光体ドラム内の空気の流れを示す断面図である。
【図６】本発明の第２の実施形態に係る感光体ドラム及びその周辺部を示す断面図である。
【図７】本発明の第２の実施形態に係る画像形成装置において、エージングモードの実行時における感光体ドラム内の空気の流れを示す断面図である。
【発明を実施するための形態】
【００２０】
＜第１の実施形態＞
以下、図１〜図５を参照しつつ、本発明の第１の実施形態に係る画像形成装置１について説明する。各図に適宜付される矢印Ｆｒ、Ｒｒ、Ｌ、Ｒ、Ｕ、Ｌｏは、それぞれ、画像形成装置１の前側、後側、左側、右側、上側、下側を示している。
【００２１】
まず、画像形成装置１の全体の構成について説明する。画像形成装置１は、例えば、プリント機能、コピー機能及びファックス機能等を複合的に備えた複合機である。
【００２２】
図１を参照して、画像形成装置１は、箱型の装置本体２を備えている。装置本体２の上端部には、原稿画像を読み取るための画像読取装置３が設けられている。装置本体２の上部には、画像読取装置３の下側に排紙トレイ４が設けられている。装置本体２の上部には、排紙トレイ４の下側に４個のトナーコンテナ５が設けられている。４個のトナーコンテナ５は、それぞれ、イエロー、マゼンタ、シアン、ブラックのトナーを収容している。
【００２３】
装置本体２の略中央部には、４個のトナーコンテナ５の下側に中間転写ベルト６が収容されている。装置本体２の略中央部には、中間転写ベルト６の下側に４個の画像形成部７が収容されている。４個の画像形成部７は、それぞれ、イエロー、マゼンタ、シアン、ブラックのトナーに対応している。各画像形成部７は、感光体ドラム８と、帯電装置９と、現像装置１０と、一次転写ローラー１１と、クリーニング装置１２と、を備えている。
【００２４】
装置本体２の下部には、４個の画像形成部７の下側に４個の露光装置１３が収容されている。装置本体２の下端部には、４個の露光装置１３の下側に給紙カセット１４が収容されている。給紙カセット１４には、用紙Ｓが収納されている。
【００２５】
装置本体２の右側部には、用紙Ｓの搬送路Ｐが設けられている。搬送路Ｐの上流部には、給紙部１５が設けられている。搬送路Ｐの中流部には、二次転写ローラー１６が設けられている。搬送路Ｐの下流部には、定着装置１７が設けられている。
【００２６】
次に、このような構成を備えた画像形成装置１の動作について説明する。
【００２７】
まず、帯電装置９が感光体ドラム８の表面を帯電させる。次に、各露光装置１３が感光体ドラム８の表面を露光して、感光体ドラム８の表面に静電潜像を形成する（図１の点線矢印参照）。次に、現像装置１０が感光体ドラム８の表面にトナーを供給することで静電潜像を現像し、トナー像を形成する。次に、一次転写ローラー１１が感光体ドラム８の表面に形成されたトナー像を中間転写ベルト６の表面に一次転写する。以上のような動作が各画像形成部７において行われることで、中間転写ベルト６の表面にフルカラーのトナー像が形成される。なお、感光体ドラム８の表面に残留したトナーは、クリーニング装置１２によって除去される。
【００２８】
一方で、給紙部１５によって給紙カセット１４から取り出された用紙Ｓは、搬送路Ｐを下流側へと搬送され、中間転写ベルト６と二次転写ローラー１６のニップ部分に進入する。二次転写ローラー１６は、中間転写ベルト６の表面に形成されたフルカラーのトナー像を用紙Ｓに二次転写する。トナー像を二次転写された用紙Ｓは、搬送路Ｐを更に下流側へと搬送され、定着装置１７に進入する。定着装置１７は、用紙Ｓにトナー像を定着させる。トナー像が定着された用紙Ｓは、排紙トレイ４上に排出される。
【００２９】
次に、感光体ドラム８について説明する。
【００３０】
図２、図３を参照して、感光体ドラム８は、前後方向に沿って延びている回転軸Ｘの周りを回転可能に設けられている。つまり、本実施形態では、前後方向が感光体ドラム８の回転軸方向である。なお、図２、図３の矢印Ａは、感光体ドラム８の回転方向（以下、「回転方向Ａ」と称する）を示している。感光体ドラム８の前端部には前側開口部８Ａが設けられ、感光体ドラム８の後端部には後側開口部８Ｂが設けられている。
【００３１】
感光体ドラム８は、基材層２１と、基材層２１の外周面に設けられる感光層２２と、基材層２１の内周面から突出している螺旋状のフィン２３と、を備えている。
【００３２】
感光体ドラム８の基材層２１は、回転軸Ｘを中心とする円筒状を成している。基材層２１は、例えば、アルミニウムやステンレス等の金属によって構成されている。
【００３３】
感光体ドラム８の感光層２２は、回転軸Ｘを中心とする円筒状を成している。感光層２２は、例えば、アモルファスシリコンによって構成されている。
【００３４】
感光体ドラム８のフィン２３は、感光体ドラム８の前端側（前後方向一端側）から後端側（前後方向他端側）まで連続的に設けられている。例えば、フィン２３の前後方向の長さは、感光体ドラム８の画像形成領域の前後方向の長さＬよりも長い。フィン２３の内周端部は、回転軸Ｘの付近に到達していない。
【００３５】
感光体ドラム８のフィン２３は、基材層２１とは別体に設けられている。フィン２３は、基材層２１の内周面に嵌合することで、基材層２１に固定されている。フィン２３の各巻線部２３Ａ（螺旋の一巻分の部分）は、すべて回転方向Ａにおける上流側から下流側に向かって後側に傾斜している。即ち、フィン２３の各巻線部２３Ａは、すべて同じ向きに形成されている。
【００３６】
感光体ドラム８のフィン２３の形成間隔には、螺旋状の外周空間ＯＳが感光体ドラム８の前端側から後端側まで連続的に形成されている。フィン２３及び外周空間ＯＳの内周側には、円柱状の内周空間ＩＳが感光体ドラム８の前端側から後端側まで連続的に形成されている。
【００３７】
図２を参照して、画像形成装置１は、感光体ドラム８の前端側（前後方向一端側）に設けられる前側ドラムフランジ３１及び前側ドラム軸３２と、感光体ドラム８の内部に配置される保持部材３３及びヒーター３４と、ヒーター３４に接続される配線３５と、感光体ドラム８の後端側（前後方向他端側）に設けられる後側ドラムフランジ３６及び後側ドラム軸３７と、を更に備えている。なお、図３では、感光体ドラム８とヒーター３４のみが表示されており、それ以外の部材の表示は省略されている。
【００３８】
前側ドラムフランジ３１は、回転軸Ｘを中心とする円環状を成している。前側ドラムフランジ３１の外周部は、感光体ドラム８の前端部（前後方向一端部）に装着されている。これにより、前側ドラムフランジ３１が感光体ドラム８と一体に回転可能となっている。前側ドラムフランジ３１の内周部には、前側貫通穴４０が設けられている。
【００３９】
前側ドラム軸３２は、中空状を成しており、前後方向に沿って延びている。前側ドラム軸３２は、感光体ドラム８よりも前側に設けられたフレーム４１を貫通することで、フレーム４１に回転不能に支持されている。前側ドラム軸３２は、前側ドラムフランジ３１の前側貫通穴４０を貫通することで、前側ドラムフランジ３１を回転可能に支持している。前側ドラム軸３２は、前側ドラムフランジ３１と共に感光体ドラム８の前側開口部８Ａを覆っている。
【００４０】
保持部材３３は、前後方向に沿って延びている。保持部材３３は、感光体ドラム８の内周空間ＩＳに収容されている。保持部材３３の前端部（前後方向一端部）は、前側ドラム軸３２の後端部に固定されている。これにより、保持部材３３が前側ドラム軸３２に片持ち状態で支持されている。保持部材３３の前部には、ガイド筒部４３が設けられている。
【００４１】
図２、図３を参照して、ヒーター３４は、感光体ドラム８の内周空間ＩＳに収容されている。ヒーター３４は、感光体ドラム８のフィン２３の内周側にフィン２３と間隔を介して設けられている。つまり、ヒーター３４は、感光体ドラム８に接触していない。ヒーター３４は、回転軸Ｘの付近に配置されている。例えば、ヒーター３４の前後方向の長さは、感光体ドラム８の画像形成領域の前後方向の長さＬよりも短い。
【００４２】
ヒーター３４は、前後方向に沿って延びている平板状の基板４４と、基板４４に実装される複数の発熱体４５と、を備えている。基板４４は、保持部材３３の上面に固定されている。これにより、ヒーター３４が保持部材３３に保持されている。複数の発熱体４５は、チップ抵抗によって構成されており、前後方向に沿って一列に並んでいる。
【００４３】
図２を参照して、配線３５の一端部は、ヒーター３４の基板４４に接続されている。配線３５は、保持部材３３のガイド筒部４３及び前側ドラム軸３２の内部空間を貫通し、感光体ドラム８の外部に引き出されている。配線３５の他端部は、コネクター（図示せず）に接続されている。
【００４４】
後側ドラムフランジ３６は、回転軸Ｘを中心とする円環状を成している。後側ドラムフランジ３６の外周部は、感光体ドラム８の後端部（前後方向他端部）に装着されている。これにより、後側ドラムフランジ３６が感光体ドラム８と一体に回転可能となっている。後側ドラムフランジ３６の内周部には、後側貫通穴４７が設けられている。後側ドラムフランジ３６の後部には、嵌合部４８が設けられている。
【００４５】
後側ドラム軸３７は、前後方向に沿って延びている本体部４９と、本体部４９の外周面から突出しているジョイント部５０と、を備えている。本体部４９は、後側ドラムフランジ３６の後側貫通穴４７を貫通している。ジョイント部５０は、後側ドラムフランジ３６の嵌合部４８に嵌合している。これにより、後側ドラム軸３７が後側ドラムフランジ３６に固定されている。後側ドラム軸３７は、後側ドラムフランジ３６と共に感光体ドラム８の後側開口部８Ｂを覆っている。
【００４６】
次に、画像形成装置１の制御システムについて説明する。
【００４７】
図４を参照して、画像形成装置１は、制御部５１を備えている。制御部５１は、例えば、ＣＰＵ（Central  Processing  Unit）によって構成されている。
【００４８】
制御部５１は、記憶部５２に接続されている。記憶部５２は、ＲＡＭ（Random  Access  Memory）及びＲＯＭ（Read  Only  Memory）を備えている。記憶部５２は、機外の湿度の閾値を記憶している。
【００４９】
制御部５１は、駆動源５３に接続されている。駆動源５３は、例えば、モーターによって構成されている。駆動源５３は、後側ドラム軸３７の本体部４９に接続されており、制御部５１からの信号に基づいて駆動源５３が後側ドラム軸３７を回転させることで、後側ドラムフランジ３６及び感光体ドラム８が後側ドラム軸３７と一体に回転する。つまり、制御部５１からの信号に基づいて駆動源５３が感光体ドラム８を回転させる。
【００５０】
制御部５１は、ヒーター３４に接続されており、制御部５１からの信号に基づいてヒーター３４がＯＮすることで、ヒーター３４の各発熱体４５が発熱し、感光体ドラム８が加熱される。つまり、制御部５１からの信号に基づいて、ヒーター３４が感光体ドラム８を加熱する。
【００５１】
制御部５１は、湿度センサー５４に接続されている。湿度センサー５４は、機外の湿度を検知可能に設けられており、湿度センサー５４が検知した機外の湿度が制御部５１に入力される。
【００５２】
次に、上記のように構成された画像形成装置１において、感光体ドラム８の表面に付着した水分を除去するエージングモードの一例について、以下に説明する。
【００５３】
画像形成装置１の電源投入時には、湿度センサー５４が機外の湿度を検知し、湿度センサー５４が検知した機外の湿度が制御部５１に入力される。制御部５１は、湿度センサー５４が検知した機外の湿度が記憶部５２に記憶された閾値以上であると判定すると、エージングモードを実行する。
【００５４】
エージングモードの実行時には、ヒーター３４がＯＮすることで、ヒーター３４の各発熱体４５が発熱する。これにより、ヒーター３４の周囲の空気が加熱される。
【００５５】
また、エージングモードの実行時には、駆動源５３が感光体ドラム８を回転方向Ａに回転させる。図５を参照して、このように感光体ドラム８が回転すると、感光体ドラム８のフィン２３によって外周空間ＯＳ内を空気が後側から前側に向かって送られる（図５の実線矢印参照）。外周空間ＯＳの前端部まで送られた空気は、前側ドラムフランジ３１及び前側ドラム軸３２に当たって折り返され、内周空間ＩＳに流入する。（図５の点線矢印参照）。
【００５６】
内周空間ＩＳに流入した空気は、内周空間ＩＳ内を前側から後側に向かって送られる（図５の一点鎖線矢印参照）。つまり、内周空間ＩＳ内の空気は、外周空間ＯＳ内の空気とは逆方向に移動する。内周空間ＩＳの後端部まで送られた空気は、後側ドラムフランジ３６及び後側ドラム軸３７に当たって折り返され、外周空間ＯＳに流入する（図５の二点鎖線矢印参照）。
【００５７】
外周空間ＯＳに流入した空気は、再び外周空間ＯＳ内を後側から前側に向かって送られる（図５の実線矢印参照）。以上のようにして、ヒーター３４によって加熱された空気が感光体ドラム８内を循環する。
【００５８】
また、エージングモードの実行時には、画像形成動作の実行時と同様に、現像装置１０（図１参照）が感光体ドラム８の表面にトナーを供給する。但し、エージングモードの実行時には、画像形成動作の実行時とは異なり、露光装置１３が感光体ドラム８の表面に静電潜像を形成しないため、感光体ドラム８の表面にはトナー帯（前後方向に連続する帯状のトナー像）が形成される。このトナー帯は、クリーニング装置１２によって回収される。
【００５９】
本実施形態では、基材層２１の内周面から突出している螺旋状のフィン２３が感光体ドラム８に設けられており、ヒーター３４は、フィン２３の内周側にフィン２３と間隔を介して設けられている。このような構成を採用することで、エージングモードの実行時に感光体ドラム８が回転すると共にヒーター３４がＯＮすると、ヒーター３４によって加熱された空気が感光体ドラム８内を循環する。そのため、簡易な構成によって感光体ドラム８を効率的に加熱し、像流れの発生を抑制することが可能となる。
【００６０】
また、フィン２３は、感光体ドラム８の前端側から後端側まで連続的に設けられ、フィン２３の各巻線部２３Ａは、すべて同じ向きに形成されている。このような構成を採用することで、フィン２３の構成が簡易なものとなり、フィン２３を基材層２１に容易に組み付けることが可能となる。
【００６１】
また、画像形成装置１の電源投入時において湿度センサー５４が検知する湿度が所定の閾値以上である場合に、感光体ドラム８が回転すると共にヒーター３４がＯＮする。このような構成を採用することで、高湿環境において像流れの発生しやすい状態から素早く復帰することが可能となり、電源投入から印字開始までの時間を短縮することが可能となる。
【００６２】
また、感光体ドラム８が回転すると共にヒーター３４がＯＮする時に、現像装置１０が感光体ドラム８の表面にトナーを供給し、トナー帯を形成している。このような構成を採用することで、感光体ドラム８の表面に付着した水分がトナー帯と共に感光体ドラム８の表面から除去される。そのため、像流れの発生を一層効果的に抑制することが可能となる。
【００６３】
また、画像形成装置１は、感光体ドラム８の前端部に装着される前側ドラムフランジ３１と、前側ドラムフランジ３１を貫通する前側ドラム軸３２と、前側ドラム軸３２に片持ち状態で支持される保持部材３３と、を備え、ヒーター３４は、保持部材３３に保持されている。このような構成を採用することで、簡易な構成によって、感光体ドラム８内にヒーター３４を感光体ドラム８とは非接触で配置することが可能となる。
【００６４】
また、感光層２２は、アモルファスシリコンによって構成されている。このような構成を採用することで、感光層２２が有機感光体によって構成される場合と比較して、感光層２２の摩耗を抑制し、感光体ドラム８の長寿命化を図ることができる。一方で、感光層２２がアモルファスシリコンによって構成される場合には、感光層２２が有機感光体によって構成される場合と比較して、感光層２２が削れにくいため、感光体ドラム８の表面に付着した放電生成物が除去されにくく、像流れが発生しやすい。そのため、上記のような構成を用いて像流れの発生を抑制するメリットが大きい。
【００６５】
本実施形態では、感光体ドラム８のフィン２３が基材層２１とは別体に設けられている。一方で、他の異なる実施形態では、感光体ドラム８のフィン２３が基材層２１と一体に設けられていても良い。
【００６６】
本実施形態では、ヒーター３４の前後方向の長さが感光体ドラム８の画像形成領域の前後方向の長さＬよりも短い。一方で、他の異なる実施形態では、ヒーター３４の前後方向の長さが感光体ドラム８の画像形成領域の前後方向の長さＬ以上であっても良い。
【００６７】
本実施形態では、フィン２３の前後方向の長さが感光体ドラム８の画像形成領域の前後方向の長さＬよりも長い。一方で、他の異なる実施形態では、フィン２３の前後方向の長さが感光体ドラム８の画像形成領域の前後方向の長さＬ以下であっても良い。
【００６８】
本実施形態では、湿度センサー５４が機外の湿度を検知している。一方で、他の異なる実施形態では、湿度センサー５４が機内の湿度を検知しても良い。
【００６９】
本実施形態では、画像形成装置１が複合機である。一方で、他の異なる実施形態では、画像形成装置１がプリンター、コピー機、ファクシミリ等であっても良い。
【００７０】
＜第２の実施形態＞
以下、図６、図７を参照しつつ、本発明の第２の実施形態に係る画像形成装置６０について説明する。各図に付される矢印Ｆｒ、Ｒｒ、Ｕ、Ｌｏは、それぞれ、画像形成装置６０の前側、後側、上側、下側を示している。なお、感光体ドラム６１以外の構成については、第１の実施形態と同様であるため、説明を省略する。
【００７１】
図６を参照して、感光体ドラム６１は、前後方向に沿って延びている回転軸Ｘの周りを回転可能に設けられている。つまり、本実施形態では、前後方向が感光体ドラム６１の回転軸方向である。なお、図６の矢印Ａは、感光体ドラム６１の回転方向（以下、「回転方向Ａ」と称する）を示している。
【００７２】
感光体ドラム６１の前端部には前側開口部６１Ａが設けられている。前側開口部６１Ａは、前側ドラムフランジ３１及び前側ドラム軸３２によって覆われている。感光体ドラム６１の後端部には後側開口部６１Ｂが設けられている。後側開口部６１Ｂは、後側ドラムフランジ３６及び後側ドラム軸３７によって覆われている。
【００７３】
感光体ドラム６１は、基材層６２と、基材層６２の外周面に設けられる感光層６３と、基材層６２の内周面から突出している螺旋状のフィン６４及び円環状の仕切り板６５と、を備えている。基材層６２及び感光層６３は、第１の実施形態に係る基材層２１及び感光層２２と同様であるため、説明を省略する。
【００７４】
感光体ドラム６１のフィン６４は、第１螺旋部６６及び第２螺旋部６７を備えている。第１螺旋部６６は、感光体ドラム６１の前後方向中央側から前端側（前後方向一端側）まで設けられている。第１螺旋部６６の各巻線部６６Ａ（螺旋の一巻分の部分）は、すべて回転方向Ａにおける上流側から下流側に向かって後側に傾斜している。第２螺旋部６７は、感光体ドラム６１の前後方向中央側から後端側（前後方向他端側）まで設けられている。第２螺旋部６７の各巻線部６７Ａ（螺旋の一巻分の部分）は、すべて回転方向Ａにおける上流側から下流側に向かって前側に傾斜している。即ち、第２螺旋部６７の各巻線部６７Ａは、第１螺旋部６６の各巻線部６６Ａとは逆向きに形成されている。
【００７５】
フィン６４の第１螺旋部６６の形成間隔には、螺旋状の第１外周空間ＯＳ１が感光体ドラム６１の前後方向中央側から前端側まで連続的に形成されている。第１螺旋部６６及び第１外周空間ＯＳ１の内周側には、円柱状の第１内周空間ＩＳ１が感光体ドラム６１の前後方向中央側から前端側まで連続的に形成されている。
【００７６】
フィン６４の第２螺旋部６７の形成間隔には、螺旋状の第２外周空間ＯＳ２が感光体ドラム６１の前後方向中央側から後端側まで連続的に形成されている。第２螺旋部６７及び第２外周空間ＯＳ２の内周側には、円柱状の第２内周空間ＩＳ２が感光体ドラム６１の前後方向中央側から後端側まで連続的に形成されている。
【００７７】
感光体ドラム６１の仕切り板６５は、感光体ドラム６１の前後方向中央部に配置されている。仕切り板６５は、回転軸Ｘに対して垂直に設けられている。仕切り板６５は、フィン６４の第１螺旋部６６と第２螺旋部６７の間に設けられている。仕切り板６５の内周部には穴部６９が設けられており、この穴部６９をヒーター３４が貫通している。
【００７８】
上記のように構成された画像形成装置６０において、感光体ドラム６１の表面に付着した水分を除去するエージングモードについて、以下に説明する。なお、第１の実施形態と同様の部分については、説明を省略する。
【００７９】
エージングモードの実行時には、駆動源５３が感光体ドラム６１を回転方向Ａに回転させる。図７を参照して、このように感光体ドラム６１が回転すると、感光体ドラム６１のフィン６４の第１螺旋部６６によって第１外周空間ＯＳ１内を空気が後側から前側に向かって送られる（図７の実線矢印参照）。第１外周空間ＯＳ１の前端部まで送られた空気は、前側ドラムフランジ３１及び前側ドラム軸３２に当たって折り返され、第１内周空間ＩＳ１に流入する（図７の点線矢印参照）。
【００８０】
第１内周空間ＩＳ１に流入した空気は、第１内周空間ＩＳ１内を前側から後側に向かって送られる（図７の一点鎖線矢印参照）。つまり、第１内周空間ＩＳ１内の空気は、第１外周空間ＯＳ１内の空気とは逆方向に移動する。第１内周空間ＩＳ１の後端部まで送られた空気は、仕切り板６５に当たって折り返され、第１外周空間ＯＳ１に流入する（図７の二点鎖線矢印参照）。
【００８１】
第１外周空間ＯＳ１に流入した空気は、再び第１外周空間ＯＳ１内を後側から前側に向かって送られる（図７の実線矢印参照）。以上のようにして、ヒーター３４によって加熱された空気が第１外周空間ＯＳ１及び第１内周空間ＩＳ１内を循環する。また、同様の作用により、ヒーター３４によって加熱された空気が第２外周空間ＯＳ２及び第２内周空間ＩＳ２内を循環する。
【００８２】
本実施形態のフィン６４は、感光体ドラム６１の前後方向中央側から前端側（前後方向一端側）まで設けられる第１螺旋部６６と、感光体ドラム６１の前後方向中央側から後端側（前後方向他端側）まで設けられる第２螺旋部６７と、を備えており、第２螺旋部６７の各巻線部６７Ａは、第１螺旋部６６の各巻線部６６Ａとは逆向きに形成されている。このような構成を採用することで、エージングモードの実行時に感光体ドラム６１が回転すると共にヒーター３４がＯＮすると、感光体ドラム６１の前後方向中央側から前後方向両端側に向かう空気の流れが発生する（図７参照）。そのため、感光体ドラム６１の画像形成領域よりも前後方向の長さが短いヒーター３４を感光体ドラム６１の前後方向中央側に配置する場合でも、ヒーター３４が発生させる熱を感光体ドラム６１の前後方向の略全域に均等に伝達することが可能となる。
【００８３】
また、感光体ドラム６１は、第１螺旋部６６と第２螺旋部６７の間に設けられる円環状の仕切り板６５を備え、ヒーター３４は、仕切り板６５を貫通している。このような構成を採用することで、ヒーター３４が発生させた熱を感光体ドラム６１内の前側の空間（第１螺旋部６６側の空間）と後側の空間（第２螺旋部６７側の空間）に均等に分配することが可能となる。
【符号の説明】
【００８４】
＜第１の実施形態＞
１  画像形成装置
８  感光体ドラム
１０  現像装置
２１  基材層
２２  感光層
２３  フィン
２３Ａ  （フィンの）巻線部
３１  前側ドラムフランジ
３２  前側ドラム軸
３３  保持部材
３４  ヒーター
５４  湿度センサー
Ｘ  回転軸
＜第２の実施形態＞
６０  画像形成装置
６１  感光体ドラム
６２  基材層
６３  感光層
６４  フィン
６５  仕切り板
６６  第１螺旋部
６６Ａ  （第１螺旋部の）巻線部
６７  第２螺旋部
６７Ａ  （第２螺旋部の）巻線部
【図１】
2019078836.tif 000003
【図２】
2019078836.tif 000004
【図３】
2019078836.tif 000005
【図４】
2019078836.tif 000006
【図５】
2019078836.tif 000007
【図６】
2019078836.tif 000008
【図７】
2019078836.tif 000009